(57)【要約】【課題】加温販売された容器入りの飲料を口内火傷を引き起こすことなく飲むことを可能とするオーバーキャップ及び該オーバーキャップを用いた包装体を提供する。【解決手段】オーバーキャップはキャップ本体と天蓋とからなる。キャップ本体は、カップ型容器のカップフランジへの係合部と、周壁と、該周壁の内側にカップフランジ面から間隙をおいて且つ互いに周方向間隔をおいて周方向に延びる複数の本体フランジを備える。天蓋は、前記本体フランジの間に挿入可能な形状の複数の天蓋フランジと、該天蓋フランジの下側に突設された、少なくとも一つの蓋材を周方向に切断するための切断刃と、天蓋を回転させるためのつまみとを備える。また、天蓋はカップフランジ面と本体フランジ間の間隙を通過可能な厚さを有する。容器内に液体内容物を充填し、容器の口部は蓋材で密封し、蓋材で密封された容器にオーバーキャップを冠着する。【選択図】  図３
2004331212.tif 000002
【特許請求の範囲】
【請求項１】
キャップ本体と天蓋とからなり、キャップ本体は、カップ型容器のカップフランジへの係合部と、周壁と、該周壁の内側にカップフランジ面から間隙をおいて且つ互いに周方向間隔をおいて周方向に延びる複数の本体フランジを備え、天蓋は、前記本体フランジの間に挿入可能な形状の複数の天蓋フランジと、該天蓋フランジの下側に突設された、少なくとも一つの蓋材を周方向に切断するための切断刃と、天蓋を回転させるためのつまみとを備え、天蓋はカップフランジ面と本体フランジ間の間隙を通過可能な厚さを有することを特徴とするオーバーキャップ。
【請求項２】
天蓋に開口部が設けられていることを特徴とする請求項１に記載のオーバーキャップ。
【請求項３】
天蓋に開口部がないことを特徴とする請求項１に記載のオーバーキャップ。
【請求項４】
天蓋は破断可能なつなぎを介してキャップ本体と一体に形成されていることを特徴とする請求項２又は３に記載のオーバーキャップ。
【請求項５】
キャップ本体には、天蓋のつまみの一部が突き当たる、天蓋の回転を規制するストッパーが設けられていることを特徴とする請求項１乃至４の何れか一項に記載のオーバーキャップ。
【請求項６】
天蓋にはその下面中央に蓋材に突き刺し可能な回転軸が設けられていることを特徴とする請求項１乃至５の何れか一項に記載のオーバーキャップ。
【請求項７】
蓋フランジが３つ設けられていることを特徴とする請求項１乃至６の何れか一項に記載のオーバーキャップ。
【請求項８】
本体フランジの蓋フランジに対峙する側の端面は下方に傾斜した斜面に形成され、この斜面に対面する蓋フランジの端面は斜めにカットされていることを特徴とする請求項１乃至７の何れか一項に記載のオーバーキャップ。
【請求項９】
カップ型容器内に液体内容物が充填され、カップ型容器の口部は蓋材で密封され、蓋材で密封された容器に請求項１乃至８の何れか一項に記載のオーバーキャップが冠着されていることを特徴とする包装体。
【請求項１０】
オーバーキャップの上に保護カバーが被せられていることを特徴とする請求項９に記載の包装体。
【発明の詳細な説明】
【０００１】
【発明の属する技術分野】
本発明は飲み口を有するオーバーキャップ及び該オーバーキャップを用いた包装体に関する。
【０００２】
【従来の技術】
従来、カップ型容器本体内にコーヒー、紅茶、ウーロン茶、スープ、ジュース等を常温充填し、例えばアルミニウム箔／ポリエチレン複合フィルムからなる突き刺し可能な蓋材で容器本体の口部を密封しその上にオーバーキャップを被せ、容器本体の胴部にはストローが入った袋体を貼着してなる容器入り飲料がコンビニエンスストア等において販売されている（特許文献１及び２参照）。
また、この容器飲料をホットウォーマー内に陳列して６０℃前後に加温販売することも行われている。
【０００３】
【特許文献１】
特開２００２−２６４９４７号公報
【特許文献２】
特開平７−２８５５７９号公報
【０００４】
【発明が解決しようとする課題】
上記のような飲料を購入した消費者は、オーバーキャップにストローの通り穴を形成し、その穴を通して蓋材にストローを突き刺し、ストローを使って飲料を飲む。或いはオーバーキャップを取り除き、蓋材にストローを突き刺し、ストローを使って飲む。しかし、６０℃前後に加温されたコーヒー、紅茶、ウーロン茶、スープ、ジュース等の飲料をストローを使って飲もうとすると、容器内の熱い飲料が途中で空気にふれて冷まされることなくストローを通して口内に吸い込まれ、場合によっては口の中を火傷することがある。
【０００５】
本発明の目的は、加温販売された容器入りの飲料を口内火傷を引き起こすことなく飲むことを可能とするオーバーキャップ及び該オーバーキャップを用いた包装体を提供することである。
【０００６】
【課題を解決するための手段】
請求項１に記載の発明は、上記のオーバーキャップに関する課題を解決するもので、キャップ本体と天蓋とからなり、キャップ本体は、カップ型容器のカップフランジへの係合部と、周壁と、該周壁の内側にカップフランジ面から間隙をおいて且つ互いに周方向間隔をおいて周方向に延びる複数の本体フランジを備え、天蓋は、前記本体フランジの間に挿入可能な形状の複数の天蓋フランジと、該天蓋フランジの下側に突設された、少なくとも一つの蓋材を周方向に切断するための切断刃と、天蓋を回転させるためのつまみとを備え、天蓋はカップフランジ面と本体フランジ間の間隙を通過可能な厚さを有することを特徴とするオーバーキャップを要旨とする。
【０００７】
請求項１に記載の発明に係るオーバーキャップによれば、天蓋を下方に天蓋フランジがカップフランジ面に接触するまで押し下げて天蓋の切断刃を蓋材に突き刺し、更に天蓋を回すことにより天蓋フランジを本体フランジとカップフランジの間を摺動させながら蓋材をカップフランジの内側に沿って周方向に切断し、蓋材をカップフランジから剥がすことなく、缶切りによるように蓋材をカットしてカップ内の内容物を取り出すことができる。
【０００８】
尚、本発明のオーバーキャップは、切断刃の数及び配置により、蓋材を全周にわたり切断するように構成するのが望ましいが、切断刃を１つ又は２つとし、蓋材の一部カットするように構成してもよい。
【０００９】
本発明において、請求項２に記載のように天蓋に開口部が設けられている場合には、蓋材のカットされた部分及び開口部を通して且つ側壁上端を飲み口縁部として利用して加温された液体内容物を食すことができる。
【００１０】
また、請求項３に記載のように天蓋に開口部がない場合においては、天蓋を取り外し蓋材のカットされた部分を露出させ、側壁上端を飲み口縁部として利用して加温された液体内容物を食すことができる。またスープ等に含まれる具材を食すこともできる。
【００１１】
天蓋は、天蓋の固定とバージン性の面から、破断可能なつなぎを介してキャップ本体と一体に形成されていることが望ましい。
【００１２】
また、キャップ本体には、天蓋のつまみの一部が突き当たる、天蓋の回転を規制するストッパーが設けられていることが望ましい。このストッパーを設けることにより、必要以上に天蓋を回転させることなく、しかも蓋材の開封後の飲み口部の開口部の位置を一定にすることができる。
【００１３】
また、天蓋にはその下面中央に蓋材に突き刺し可能な回転軸が設けられていることが望ましい。この場合、回転軸を蓋材に突き刺して天蓋の回転をスムーズに行うことができる。
【００１４】
また、蓋フランジは少なくとも２つあればよいが、蓋フランジを３つ設けることにより、天蓋をキャップ本体に対して三方で支持して安定して位置させることができる。
【００１５】
又、本発明において、本体フランジの蓋フランジに対峙する側の端面は下方に傾斜した斜面に形成され、この斜面に対面する蓋フランジの端面は斜めにカットされていることが望ましい。本体フランジの端面が斜面に形成されていることにより天蓋フランジをスムーズに本体フランジの下に潜り込ませることができる。
【００１６】
請求項９に記載の発明は、上記の包装体に関する課題を解決するもので、カップ型容器内に液体内容物が充填され、カップ型容器の口部は蓋材で密封され、蓋材で密封された容器に請求項１乃至８の何れか一項に記載のオーバーキャップが冠着されていることを特徴とする包装体を要旨とする。
【００１７】
本発明の包装体内の飲料を飲むときは、天蓋を下方に天蓋フランジがカップフランジ面に接触するまで押し下げて天蓋の切断刃を蓋材に突き刺し、更に天蓋を回すことにより天蓋フランジを本体フランジとカップフランジの間を摺動させながら蓋材をカップフランジの内側に沿って周方向に切断し、蓋材をカップフランジから剥がすことなく、缶切りによるように蓋材をカットし、蓋材の開口部及びキャップ本体の周壁の上端で囲まれた飲み口を通してストローを使うことなく飲料を飲むことができる。そのときストローを通して飲料を吸い込むのとは異なり、飲料を適度の速さで飲むことができ、また、熱過ぎる飲料は空気にふれさせて飲み頃温度に冷ましながら飲むことができるので、口内火傷は回避される。
【００１８】
また、本発明の包装体において、天蓋が本体フランジから不用意に外れたり、天蓋が回転されて蓋材が開封されてしまうのを防止するためにオーバーキャップの上に保護カバーを被せることが望ましい。
【００１９】
【発明の実施の形態】
以下に図面を用いて本発明につき詳細に説明する。
図１は、本発明のオーバーキャップを構成するキャップ本体を示し、（Ａ）は平面図、（Ｂ）は側面図を示す。図２は、本発明のオーバーキャップを構成する天蓋を示し、（Ａ）は平面図、（Ｂ）は側面図である。図３は、本発明のオーバーキャップを示し、（Ａ）は平面図、（Ｂ）はカップ型容器と共に示す側面図である。
【００２０】
本発明のオーバーキャップは、図１に示すようなキャップ本体１と図２に示すような天蓋７とからなる。キャップ本体１は、カップフランジ１５ａへの係合部１ａと、周壁６と、周壁６の内側にカップフランジ１５ａ面から間隙ｓをおいて且つ互いに周方向間隔３ａ、３ｂ、３ｃをおいて周方向に延びる３つの本体フランジ２ａ、２ｂ、２ｃを備える。天蓋７は、本体フランジ２ａ、２ｂ、２ｃの間３ａ、３ｂ、３ｃに挿入可能な形状の３つの天蓋フランジ８ａ、８ｂ、８ｃと、天蓋フランジ８ａ、８ｂ、８ｃの下側に突設された、蓋材１６を周方向に切断するための切断刃１３ａ、１３ｂ、１３ｃと、天蓋７を回転させるためのつまみ１１と、開口部１０を備える。また、天蓋７の下側中央部には蓋材１６に突き刺し可能な回転軸１２が設けられている。上記のような構成を有する天蓋７はカップフランジ面と本体フランジ２ａ、２ｂ、２ｃ間の間隙ｓを通過可能な厚さに形成されている。また、キャップ本体１には、その本体フランジ２ａ、２ｂに、天蓋７のつまみ１１の一部が突き当たる、天蓋７の回転を規制するストッパー５ａ、５ｂが設けられている。
【００２１】
さらに、上記したような天蓋７は破断可能なつなぎ１４を介してキャップ本体１と一体に形成されている。
【００２２】
また、本体フランジ２ａ、２ｂ、２ｃの蓋フランジ８ａ、８ｂ、８ｃに対峙する側の端面４は下方に傾斜した斜面に形成され、この斜面４に対面する蓋フランジ８ａ、８ｂ、８ｃの端面９は斜めにカットされている。
【００２３】
次に、本発明のオーバーキャップの奏する作用について説明する。
天蓋７のつまみ１１を把持して天蓋７を回転させると、つなぎ１４が破断し、天蓋７がキャップ本体１に対して回転可能となる。さらに天蓋７を下方に天蓋フランジ８ａ、８ｂ、８ｃがカップ１５のカップフランジ１５ａ面に接触するまで押し下げて天蓋７の切断刃１３を蓋材１６に突き刺し、更に天蓋７を回すことにより、図４に示すように、天蓋フランジ８ａ、８ｂ、８ｃを、本体フランジ２ａ、２ｂ、２ｃとカップフランジの間ｓに潜り込ませ、摺動させながら蓋材１６をカップフランジ１５ａの内側に沿って周方向に切断し、蓋材１６をカップフランジ１５ａから剥がすことなく、缶切りによるように蓋材１６をカットしてカップ１５内の内容物１７を取り出すことができる。図５及び図６は蓋材１６開封後の状態を示し、図５は平面図、図６は断面図である。
【００２４】
蓋材の開封後に、蓋材１６の開口部及びキャップ本体１の周壁６の上端で囲まれた飲み口を通してストローを使うことなく飲料１７を飲むことができる。そのときストローを通して飲料を吸い込むのとは異なり、飲料を適度の速さで飲むことができ、また、熱過ぎる飲料は空気にふれさせて飲み頃温度に冷ましながら飲むことができるので、口内火傷は回避される。さらに天蓋を取り除いて蓋材１７の開口部を露出させ、スープ等に含まれる具材を食すこともできる。
【００２５】
また、上記の実施の形態においては天蓋７には開口部１０が設けられているが開口部のない実施の形態も可能である。その場合には天蓋７を取り除いて蓋材の開口部を露出させることにより内容物を食することができる。
【００２６】
また、上記の実施の形態においては、蓋フランジは１２０℃の角度間隔をおいて３つ設けられているが、蓋フランジの数を２つとし、天蓋を二方で支持するように構成することもできる。しかし、蓋フランジを３つ設けることにより、天蓋をキャップ本体に対して三方で支持して安定して位置させることができる。
【００２７】
また、上記した実施の形態は１２０℃の間隔をおいて配置された３つの切断刃で蓋材を全周にわたり切断するように構成されているが、切断刃を１つ或いは２つとし、蓋材の一部を切断するような構成にしてもよい。
【００２８】
本発明の包装体は、図３（Ｂ）に示すように、カップ型容器１５内に液体内容物１７が充填され、容器１５の口部は蓋材１６で密封され、蓋材１６で密封された容器１５に上記したようなオーバーキャップが冠着されているものである。
【００２９】
本発明の包装体には、天蓋７がキャップ本体１から不用意に外れたり、天蓋７が回転されて蓋材１６が開封されてしまうのを防止するために、図７に示すように、オーバーキャップの上に保護カバー２０を被せることが望ましい。
【００３０】
本発明のオーバーキャップの材質としてはポリプロピレン、ポリエチレン、ポリスチレン、ＡＢＳ樹脂、ポリカーボネート、ポリエチレンテレフタレート等を適用することができる。
【００３１】
【発明の効果】
以上詳細に説明したように本発明のオーバーキャップは、キャップ本体と天蓋とからなり、キャップ本体は、カップ型容器のカップフランジへの係合部と、周壁と、該周壁の内側にカップフランジ面から間隙をおいて且つ互いに周方向間隔をおいて周方向に延びる複数の本体フランジを備え、天蓋は、前記本体フランジの間に挿入可能な形状の複数の天蓋フランジと、該天蓋フランジの下側に突設された、少なくとも一つの蓋材を周方向に切断するための切断刃と、天蓋を回転させるためのつまみとを備え、天蓋はカップフランジ面と本体フランジ間の間隙を通過可能な厚さを有することを特徴とするもので、このオーバーキャップを用いた包装体においては、天蓋を下方に天蓋フランジがカップフランジ面に接触するまで押し下げて天蓋の切断刃を蓋材に突き刺し、更に天蓋を回すことにより天蓋フランジを本体フランジとカップフランジの間を摺動させながら蓋材をカップフランジの内側に沿って周方向に切断し、蓋材をカップフランジから剥がすことなく、缶切りによるように蓋材をカットし、蓋材の開口部及びキャップ本体の周壁の上端で囲まれた飲み口を通してストローを使うことなく飲料を飲むことができる。そのときストローを通して飲料を吸い込むのとは異なり、飲料を適度の速さで飲むことができ、また、熱過ぎる飲料は空気にふれさせて飲み頃温度に冷ましながら飲むことができるので、口内火傷は回避される。
【図面の簡単な説明】
【図１】本発明のオーバーキャップを構成するキャップ本体を示し、（Ａ）は平面図、（Ｂ）は側面図である。
【図２】本発明のオーバーキャップを構成する天蓋を示し、（Ａ）は平面図、（Ｂ）は側面図である。
【図３】本発明のオーバーキャップを示し、（Ａ）は平面図、（Ｂ）はカップ型容器と共に示す側面図である。
【図４】蓋フランジが本体フランジの下に潜り込む過程を示し、（Ａ）は蓋フランジがカップフランジに接触するまで下降した状態を示す略図、（Ｂ）は蓋フランジが本体フランジの下に潜り込んだ状態を示す略図である。
【図５】蓋材を開封した後の状態を示す平面図である。
【図６】蓋材を開封した後の状態を示す略図である。
【図７】保護カバーを被せたオーバーキャップの側面図である。
【符号の説明】
１                    キャップ本体
１ａ                  カップフランジ部との係合部
２ａ、２ｂ、２ｃ      本体フランジ
３ａ、３ｂ、３ｃ      本体フランジ間の周方向間隙
４                    本体フランジの傾斜端面
５ａ、５ｂ            ストッパー
６                    周壁
７                    天蓋
８ａ、８ｂ、８ｃ      蓋フランジ
９                    蓋フランジの傾斜端面
１０                  開口部
１１                  つまみ
１２                  回転軸
１３ａ、１３ｂ、１３ｃ    切断刃
１４                  つなぎ
１５                  カップ型容器
１５ａ                カップフランジ
１６                  蓋材
１７                  内容物
ｓ                    カップフランジと本体フランジの間の間隙
２０                  保護カバー
【図１】
2004331212.tif 000003
【図２】
2004331212.tif 000004
【図３】
2004331212.tif 000005
【図４】
2004331212.tif 000006
【図５】
2004331212.tif 000007
【図６】
2004331212.tif 000008
【図７】
2004331212.tif 000009